(57)【要約】      （修正有）【課題】表情筋に一定の強さの運動量を可及的に増大し得る携帯等運動器具を提供する。  【解決手段】人体の顔面部の表情筋に叩き運動（上下運動）を施す運動器具１であって、本体の頭部には２本のアーム４，５が平行に設ける。アームの先端部分には金属製の外縁が多面体のローラー２が装着され多面体のローラーはシャフトを中心として自在に回転できる構造であり、さらに本体下部には指圧効果を計るための指圧ブロック１５が形成されている。当該運動器具を顔面の皮膚上を摺動させることで外縁が多面体のローラーが回転し、回転時に隣接する二つの面で作られる角と面との段差によって顔面の表情筋に叩き運動（上下運動）を加えるようにして表情筋運動器具を構成する。【選択図】図１
0003166284.tif 000002
【実用新案登録請求の範囲】
【請求項１】
人体の顔面部のほほ・あご等の表情筋を鍛える運動器具であって、当該運動器具を構成する頭部には２つのアーム（Ａ）・（Ｂ）が設置されており、各々のアームの先端部には金属製の外縁が多面体のローラーが装着されている、アーム（Ａ）・（Ｂ）とローラーとの間にはローラーの回転を容易にするためベアリングが装着されており、さらに下部には指圧の効果を計る為のシリコンゴム製の指圧ブロックが形成されている、当該運動器具の取って部分を手に持ってローラーを人体の顔面部分に当て、左右に摺動することで２つのローラーが同時に回転し、回転時に隣接する二つの面で作られる角と面との段差によって人体の顔面に叩き運動を連続して加えること特徴とした表情筋運動器具。
【請求項２】
請求項１において当該運動器具のアーム（A）・（B）を放射状に開脚させる機能を持たせ開脚時に叩き運動に加えて表情筋の伸縮運動を同時に加えることを可能にした表情筋運動器具。
【考案の詳細な説明】
【技術分野】
【０００１】
本考案は運動器具に関し、更には詳細には顔面の筋肉を伸縮させることで人体の顔面部に表情筋運動を施す運動器具に関する。
【背景技術】
【０００２】
顔面部の表情筋を強化する為にモーターの軸に装着したブロックを変芯させ、横方向の振動によって刺激を加える運動器具や棒状で先端が六面体のローラー１個を回転させて刺激を加える物が生産・販売されている。
【先行技術文献】
【特許文献】
【０００３】
特開２００３−２１０６１０
【考案の概要】
【考案が解決しようとする課題】
【０００４】
顔面筋の中でも表情筋は約３０種類も有り、それぞれの表情筋は皮膚という不安定なものに直接付いている薄く小さな筋肉である。
顔面付近のシェイプアップには、表情筋に可及的に伸縮等の運動を加えることが必要であり、特に皮膚の下にある表情筋に刺激が届くように縦方向（上下運動）を加えることが望ましい。
しかし、従来の運動器具でも皮膚の正面を摺動して運動を加えるがことが出来るが表情筋に対する運動量が不足して初期の効果が発現しがたい場合がある。
本考案の目的は家庭内やスポーツジム等の運動器具を利用せず、携帯用器具にて表情筋に上下の一定の強さの運動量を加え、運動量を可及的に増大し得る表情筋運動器具を提供することである。
【課題を解決するための手段】
【０００５】
本考案者は、前記目的を達成すべ検討を重ねた所、当該商品の頭部に２つの外縁が多面体のローラーを形成することで運動量を可及的に増大することを見出し本考案に達した。
【考案の効果】
【０００６】
本考案は、人体の顔面部分の表情筋に容易に上下の叩き運動を加えることが出来る為、顔面部の及び顔面周辺のシェイプアップを期待することが出来る。
【図面の簡単な説明】
【０００７】
【図１】本考案の請求項１の実施例を示す平面図。
【図２】本考案の請求項１の実施例を示す側面詳細図。
【図３】本考案の請求項１の実施例を示す背面図。
【図４】本考案の請求項１の実施例を示背面詳細図。
【図５】本考案の請求項２の実施例を示す開脚時の平面図。
【図６】本考案の請求項２の実施例を示す閉脚時の背面詳細図。
【図７】本考案の請求項２の実施例を示す開脚時の背面詳細図。
【考案を実施するための最良の形態】
【０００８】
本考案は、人体の顔面部分の表情筋に叩き運動（上下運動）を施す運動器具であって、当該運動器具１を構成する本体頭部には２本のアーム（A）４と（B）５が平行に設置されており、そそれぞれのアームには金属製の外縁が多面体のローラー２が装着されている、２つのローラー２を顔面表面皮膚に直接当て摺動することで顔面に同時に叩き運動（上下運動）を加えることを特徴とし表情筋運動器具である。
【実施例】
【０００９】
本考案の実施例を図面によって更に説明する。
図１は本考案の請求項１の実施例を示す平面図である。
当該運動器具１の頭部にはアーム（A）４とアーム（B）５が設置され、それぞれのアームにはシリコンゴム製のリング３を挿着した金属製の外縁が多面体（実施例では六面体）のローラー２が装着されている。下部には指圧用のシリコンゴム製の指圧ブロック１５が設置されている。
【００１０】
図２は本考案の請求項１の実施例を示す側面詳細図である。
アーム（A）４と（B）５はシャフト１４と樹脂部８・９で構成されいる。シャフト１４とローラー２の間にはローラー２の回転を容易にするためにベアリング１８が挿着されており、
ローラー２はビス１３によってシャフト１４に取り付けられている。
【００１１】
図３は本考案の請求項１の実施例を示す背面図である。
本体A１６と本体B１７はタッピングスクリュウ７でよって取り付けられている。
図４は本考案の請求項１の背面詳細図である。
本体A１６の支柱6にアーム（A）４・（B）５の樹脂部８・９が凹部１８・１９を対向するように挿入し、本体A１６の凸部２８に勘合させてアーム（A）４・（B）５が平行になる様に設置されている。
当該運動器具１の取って部分２５を手に持って、顔面皮膚上を左右に摺動させる時、２つの外縁が六面体のローラー２が回転し、六面体のローラー２を形成する隣接する二つの面で作られる角と面との段差によって顔面皮膚に叩き運動（上下運動）を施す。
【００１２】
図５は本考案の請求項２の実施例を示す、アーム（A）３０・（B）３１の開脚時の平面図である。
図６は本考案の請求項２の実施例を示す、アーム（A）３０・（B）３１の閉脚時背面詳細図である。アーム（A）３０・（B）３１の樹脂部（２６）・（２７）には凹部A−１・B−１（２１・２２）・A−２・B−２（２３・２４）が形成されている、本体A１２に板バネ１０を装着しアーム（A）３０・（B）３１の樹脂部２６・２７の凹部A−１・B−1（２１・２２）を対向させる様に本体Aの支柱６に挿入し板バネの凸部（１１）に勘合させ位置を保持させている。
【００１３】
図７は本考案の請求項２のアーム（A）３０・（B）３１の開脚時の平面図である。
ローラー２を左右に開脚するとアーム（A）３０・（B）３１の樹脂部２６・２７は支柱６を中心にして凹部A−１・B―１（２１・２２）が回転し板バネとの勘合が凹部A−２・B−２（２３・２４）に移り板バネ１０によって勘合位置で開脚状態を保持している。
図５において、当該運動器具１を手に持って顔面皮膚上を矢印A・B方向に摺動させる。A方向に摺動させる時、左右の外縁が六面体のローラー２は矢印C及びD方向に回転しアーム（A）３０と（B）３１で作られる角度（実施例は１２０度）によって、摺動表面の皮膚を内側矢印方向（イ及びロ）に収縮の力が働き顔面皮膚を縮める。
、また当該運動器具１を矢印B方向に摺動する時は左右の外縁が六面体のローラーは矢印E及びF方向に回転して左右のアームで作られる角度（実施例の場合１２０度）によって摺動表面の皮膚を外側方向（（ハ及びニ）に伸張の力が働き顔面皮膚を伸ばす。
矢印A及びB方向の運動を交互に連続して行なうことで摺動面の皮膚を伸縮させると共に叩き運動（上下運動）を可及的に施すことを可能にした表情筋運動器具。
【符号の説明】
【００１４】
１：当該運動器具
２：ローラー
３：リング
４：請求項１のアーム（A）
５：請求項１のアーム（B）
６：支柱
７：タッピングスクリュー
８：請求項１のアーム（A）樹脂部
９：請求項１のアーム（B）樹脂部
１０：板バネ
１１：板バネ凸部
１２：請求項２の本体A
１３：M3ネジ
１４：シャフト
１５：指圧ブロック
１６：請求項１の本体A
１７：請求項１の本体B
１８：ベアリング
１９：請求項１アーム（A）の樹脂部の凹部
２０：請求項１アーム（B）の樹脂部の凹部
２１：請求項２アーム（A）の樹脂部の凹部A−１
２２：請求項２アーム（B）の樹脂部の凹部B−１
２３：請求項２アーム（A）の樹脂部の凹部A−２
２４：請求項2アーム（B）の樹脂部の凹部B−２
２５：請求項１の取っ手
２６：請求項２のアーム（A）樹脂部
２７：請求項２のアーム（B）樹脂部
２８：請求項１の本体Aの凸部
２９：請求項2の取って
３０：請求項２のアーム（A）
３１：請求項2のアーム（B） 
【図１】
0003166284.tif 000003
【図２】
0003166284.tif 000004
【図３】
0003166284.tif 000005
【図４】
0003166284.tif 000006
【図５】
0003166284.tif 000007
【図６】
0003166284.tif 000008
【図７】
0003166284.tif 000009